(57)【要約】【課題】非接触ＩＣカードの使用性、利便性、有用性の向上。【解決手段】ＩＣカード収納装置は、非接触ＩＣカードが収納された際に、その非接触ＩＣカードと通信を行って、非接触ＩＣカードから情報を読み出す。これによって収納している非接触ＩＣカードの種別や使用履歴の情報を得る。非接触ＩＣカードの種別を判別した際には、ＩＣカード収納装置は、その種別に応じた画像（種別対応画像）を表示させることで、中に収納している非接触ＩＣカードの種別を明示する。また使用履歴を読み出すことで、その使用履歴を表示することができるが、このときに、使用した位置情報（場所や店舗の名称）などを加えて表示したり、地図画像上で使用場所を明示する。また現在位置や非接触ＩＣカードの種別に応じてサーバ装置から提供データを受け、これを表示させる。【選択図】図８
2008299372.tif 000002
【特許請求の範囲】
【請求項１】
非接触ＩＣカードを収納する収納手段と、
上記収納手段に収納された非接触ＩＣカードと通信を行うＩＣカード通信手段と、
表示手段と、
位置情報を検出する位置検出手段と、
上記位置検出手段で得られた位置情報と、上記ＩＣカード通信手段により上記収納手段に収納された非接触ＩＣカードから読み出された情報とに基づいて得られる情報を、上記表示手段に表示させる制御を行う制御手段と、
を備えることを特徴とするＩＣカード収納装置。
【請求項２】
上記収納手段は、１又は複数枚の非接触ＩＣカードが収納可能とされていることを特徴とする請求項１に記載のＩＣカード収納装置。
【請求項３】
各種の非接触ＩＣカードの種別に応じた画像を記憶する種別対応画像記憶手段をさらに備え、
上記制御手段は、上記ＩＣカード通信手段により上記収納手段に収納された非接触ＩＣカードから読み出された情報に基づいて、収納された非接触ＩＣカードの種別を判別し、判別した種別に応じた画像を上記種別対応画像記憶手段から読み出して上記表示手段で表示させる処理を行うことを特徴とする請求項１に記載のＩＣカード収納装置。
【請求項４】
位置履歴情報を記憶する位置履歴記憶手段をさらに備え、
上記制御部は、上記位置検出手段で検出された位置情報を、日時情報とともに位置履歴情報として上記位置履歴記憶手段に記憶させる処理を行うとともに、
上記ＩＣカード通信手段により上記収納手段に収納された非接触ＩＣカードから読み出された使用履歴情報と、上記位置履歴記憶手段に記憶された位置履歴情報を用いて、位置情報を付加した使用履歴情報画像を上記表示手段で表示させる処理を行うことを特徴とする請求項１に記載のＩＣカード収納装置。
【請求項５】
位置履歴情報を記憶する位置履歴記憶手段と、
地図データを記憶する地図データ記憶手段とをさらに備え、
上記制御部は、上記位置検出手段で検出された位置情報を、日時情報とともに位置履歴情報として上記位置履歴記憶手段に記憶させる処理を行うとともに、
上記ＩＣカード通信手段により上記収納手段に収納された非接触ＩＣカードから読み出された使用履歴情報と、上記位置履歴記憶手段に記憶された位置履歴情報と、上記地図データ記憶手段に記憶された地図データとを用いて、上記表示手段で、非接触ＩＣカードの使用位置を地図画像上で表示させる処理を行うことを特徴とする請求項１に記載のＩＣカード収納装置。
【請求項６】
外部のサーバ装置と通信を行う外部通信手段をさらに備え、
上記制御部は、少なくとも、上記位置検出手段で検出された位置情報と、上記ＩＣカード通信手段により上記収納手段に収納された非接触ＩＣカードから読み出された情報に基づいて判別した非接触ＩＣカードの種別情報とを含むデータ要求を、上記外部通信手段により上記サーバ装置に送信させると共に、上記データ要求に応じて上記サーバ装置から送信された提供データが上記外部通信手段により受信されることに応じて、受信した上記提供データに基づく画像を、上記表示手段で表示させる処理を行うことを特徴とする請求項１に記載のＩＣカード収納装置。
【請求項７】
非接触ＩＣカードを収納する収納手段と、
上記収納手段に収納された非接触ＩＣカードと通信を行うＩＣカード通信手段と、
表示手段と、
各種の非接触ＩＣカードの種別に応じた画像を記憶する種別対応画像記憶手段と、
上記ＩＣカード通信手段により上記収納手段に収納された非接触ＩＣカードから読み出された情報に基づいて、収納された非接触ＩＣカードの種別を判別し、判別した種別に応じた画像を上記種別対応画像記憶手段から読み出して上記表示手段で表示させる処理を行う制御手段と、
を備えることを特徴とするＩＣカード収納装置。
【請求項８】
非接触ＩＣカードを収納するＩＣカード収納装置の表示方法として、
位置情報を検出するステップと、
上記収納手段に収納された非接触ＩＣカードと通信を行うステップと、
上記位置情報と、非接触ＩＣカードとの通信により読み出された情報とに基づいて表示する情報を生成又は取得し、生成又は取得した情報による画像を表示するステップと、
を備えたことを特徴とする表示方法。
【請求項９】
非接触ＩＣカードを収納するＩＣカード収納装置の表示方法として、
上記収納手段に収納された非接触ＩＣカードと通信を行うステップと、
非接触ＩＣカードとの通信により読み出された情報に基づいて収納された非接触ＩＣカードの種別を判別するステップと、
判別した種別に応じた種別対応画像を表示するステップと、
を備えたことを特徴とする表示方法。
【請求項１０】
ＩＣカード収納装置とサーバ装置とから成る情報提供システムであって、
上記ＩＣカード収納装置は、
非接触ＩＣカードを収納する収納手段と、
上記収納手段に収納された非接触ＩＣカードと通信を行うＩＣカード通信手段と、
表示手段と、
位置情報を検出する位置検出手段と、
上記サーバ装置と通信を行う外部通信手段と、
少なくとも、上記位置検出手段で検出された位置情報と、上記ＩＣカード通信手段により上記収納手段に収納された非接触ＩＣカードから読み出された情報に基づいて判別した非接触ＩＣカードの種別情報とを含むデータ要求を、上記外部通信手段により上記サーバ装置に送信させると共に、上記データ要求に応じて上記サーバ装置から送信された提供データが上記外部通信手段により受信されることに応じて、受信した上記提供データに基づく画像を、上記表示手段で表示させる処理を行う制御手段と、
を備え、
上記サーバ装置は、
上記ＩＣカード収納装置と通信を行う通信手段と、
上記提供データを格納する格納手段と、
上記通信手段によって上記ＩＣカード収納装置からの上記データ要求が受信されることに応じて、上記データ要求に含まれる上記位置情報と上記種別情報を用いて、上記格納手段に格納された提供データのうちで送信する提供データを選定し、選定した提供データを上記通信手段により上記ＩＣカード収納装置に送信させる制御手段と、
を備えることを特徴とするデータ提供システム。
【請求項１１】
通信手段と、
提供データを格納する格納手段と、
上記通信手段によって外部装置からのデータ要求が受信されることに応じて、上記データ要求に含まれる位置情報と非接触ＩＣカードの種別情報を用いて、上記格納手段に格納された提供データのうちで送信する提供データを選定し、選定した提供データを上記通信手段により上記外部装置に送信させる制御手段と、
を備えることを特徴とするサーバ装置。
【請求項１２】
外部装置からのデータ要求を受信するステップと、
上記データ要求に含まれる位置情報と非接触ＩＣカードの種別情報を用いて、送信する提供データを選定するステップと、
選定した提供データを上記外部装置に送信するステップと、
を備えることを特徴とするデータ提供方法。
【発明の詳細な説明】
【技術分野】
【０００１】
本発明は、非接触ＩＣカードを収納できるＩＣカード収納装置と、そのＩＣカード収納装置における表示方法に関する。またＩＣカード収納装置とサーバ装置から成るデータ提供システムと、サーバ装置と、サーバ装置のデータ提供方法に関する。
【背景技術】
【０００２】
【特許文献１】特開２００５−３１８０３号公報
【特許文献２】特開２０００−１１２５１号公報
【特許文献３】特開平１１−２５２１５７号公報
【０００３】
非接触ＩＣカードを利用して、近距離でのデータ通信を行うことが各種実用化されている。例えば、鉄道等の乗車券として非接触ＩＣカードが実用化されている。具体的には、改札口に非接触ＩＣカードのリーダ／ライタを設置し、改札口を通過するときに、非接触ＩＣカードをリーダ／ライタに近接させて、非接触ＩＣカードに記憶されたデータを読み出して認証処理などを行うことが行われている。
また乗車券以外でも、電子マネー用のカード、社員証などの個人認証用のカードなどに、非接触ＩＣカードが使われている。
電子マネー用の非接触ＩＣカードを用いる場合、商品の購入時に店舗に設置されたリーダ／ライタに非接触ＩＣカードをかざすことで、例えば非接触ＩＣカードにチャージされた金額から購入金額分が精算されるような通信が行われる。
【発明の開示】
【発明が解決しようとする課題】
【０００４】
このような非接触ＩＣカードが普及し、また用途やサービスに応じて多種多様な非接触ＩＣカードが提供されつつある。そして例えば電子マネーとしての機能を持つ非接触ＩＣカードの場合、一般ユーザは、非接触ＩＣカードを財布代わりに使用できて利便性が向上している。
そして非接触ＩＣカードが多用されるようになることに応じて、非接触ＩＣカードの所持や使用について、より利便性が向上されることが求められる。
【０００５】
そこで本発明では、非接触ＩＣカードのユーザの利便性を向上させることを目的とする。特に種別ＩＣカードの使用履歴や使用場所の容易な確認を行うことができたり、所有する非接触ＩＣカードの種別に応じた情報を受け取ることができるようにする。
【課題を解決するための手段】
【０００６】
本発明のＩＣカード収納装置は、非接触ＩＣカードを収納する収納手段と、上記収納手段に収納された非接触ＩＣカードと通信を行うＩＣカード通信手段と、表示手段と、位置情報を検出する位置検出手段と、上記位置検出手段で得られた位置情報と、上記ＩＣカード通信手段により上記収納手段に収納された非接触ＩＣカードから読み出された情報とに基づいて得られる情報を上記表示手段に表示させる制御を行う制御手段とを備える。
上記収納手段は、１又は複数枚の非接触ＩＣカードが収納可能とされている。
【０００７】
また、各種の非接触ＩＣカードの種別に応じた画像を記憶する種別対応画像記憶手段をさらに備え、上記制御手段は上記ＩＣカード通信手段により上記収納手段に収納された非接触ＩＣカードから読み出された情報に基づいて、収納された非接触ＩＣカードの種別を判別し、判別した種別に応じた画像を上記種別対応画像記憶手段から読み出して上記表示手段で表示させる処理を行う。
また位置履歴情報を記憶する位置履歴記憶手段をさらに備え、上記制御部は、上記位置検出手段で検出された位置情報を、日時情報とともに位置履歴情報として上記位置履歴記憶手段に記憶させる処理を行うとともに、上記ＩＣカード通信手段により上記収納手段に収納された非接触ＩＣカードから読み出された使用履歴情報と、上記位置履歴記憶手段に記憶された位置履歴情報を用いて、位置情報を付加した使用履歴情報画像を上記表示手段で表示させる処理を行う。
また位置履歴情報を記憶する位置履歴記憶手段と、地図データを記憶する地図データ記憶手段とをさらに備え、上記制御部は、上記位置検出手段で検出された位置情報を、日時情報とともに位置履歴情報として上記位置履歴記憶手段に記憶させる処理を行うとともに、上記ＩＣカード通信手段により上記収納手段に収納された非接触ＩＣカードから読み出された使用履歴情報と、上記位置履歴記憶手段に記憶された位置履歴情報と、上記地図データ記憶手段に記憶された地図データとを用いて、上記表示手段で、非接触ＩＣカードの使用位置を地図画像上で表示させる処理を行う。
また外部のサーバ装置と通信を行う外部通信手段をさらに備え、上記制御部は、少なくとも、上記位置検出手段で検出された位置情報と、上記ＩＣカード通信手段により上記収納手段に収納された非接触ＩＣカードから読み出された情報に基づいて判別した非接触ＩＣカードの種別情報とを含むデータ要求を、上記外部通信手段により上記サーバ装置に送信させると共に、上記データ要求に応じて上記サーバ装置から送信された提供データが上記外部通信手段により受信されることに応じて、受信した上記提供データに基づく画像を、上記表示手段で表示させる処理を行う。
【０００８】
また本発明のＩＣカード収納装置は、非接触ＩＣカードを収納する収納手段と、上記収納手段に収納された非接触ＩＣカードと通信を行うＩＣカード通信手段と、表示手段と、各種の非接触ＩＣカードの種別に応じた画像を記憶する種別対応画像記憶手段と、上記ＩＣカード通信手段により上記収納手段に収納された非接触ＩＣカードから読み出された情報に基づいて、収納された非接触ＩＣカードの種別を判別し、判別した種別に応じた画像を上記種別対応画像記憶手段から読み出して上記表示手段で表示させる処理を行う制御手段とを備える。
【０００９】
本発明の表示方法は、非接触ＩＣカードを収納するＩＣカード収納装置の表示方法として、位置情報を検出するステップと、上記収納手段に収納された非接触ＩＣカードと通信を行うステップと、上記位置情報と、非接触ＩＣカードとの通信により読み出された情報とに基づいて表示する情報を生成又は取得し、生成又は取得した情報による画像を表示するステップとを備える。
また本発明の表示方法は、同じく非接触ＩＣカードを収納するＩＣカード収納装置の表示方法として、上記収納手段に収納された非接触ＩＣカードと通信を行うステップと、非接触ＩＣカードとの通信により読み出された情報に基づいて収納された非接触ＩＣカードの種別を判別するステップと、判別した種別に応じた種別対応画像を表示するステップとを備える。
【００１０】
本発明の情報提供システムは、ＩＣカード収納装置とサーバ装置とから成る。そして上記ＩＣカード収納装置は、非接触ＩＣカードを収納する収納手段と、上記収納手段に収納された非接触ＩＣカードと通信を行うＩＣカード通信手段と、表示手段と、位置情報を検出する位置検出手段と、上記サーバ装置と通信を行う外部通信手段と、少なくとも、上記位置検出手段で検出された位置情報と、上記ＩＣカード通信手段により上記収納手段に収納された非接触ＩＣカードから読み出された情報に基づいて判別した非接触ＩＣカードの種別情報とを含むデータ要求を、上記外部通信手段により上記サーバ装置に送信させると共に、上記データ要求に応じて上記サーバ装置から送信された提供データが上記外部通信手段により受信されることに応じて、受信した上記提供データに基づく画像を、上記表示手段で表示させる処理を行う制御手段とを備える。また上記サーバ装置は、上記ＩＣカード収納装置と通信を行う通信手段と、上記提供データを格納する格納手段と、上記通信手段によって上記ＩＣカード収納装置からの上記データ要求が受信されることに応じて、上記データ要求に含まれる上記位置情報と上記種別情報を用いて、上記格納手段に格納された提供データのうちで送信する提供データを選定し、選定した提供データを上記通信手段により上記ＩＣカード収納装置に送信させる制御手段とを備える。
【００１１】
本発明のサーバ装置は、通信手段と、提供データを格納する格納手段と、上記通信手段によって外部装置からのデータ要求が受信されることに応じて、上記データ要求に含まれる位置情報と非接触ＩＣカードの種別情報を用いて、上記格納手段に格納された提供データのうちで送信する提供データを選定し、選定した提供データを上記通信手段により上記外部装置に送信させる制御手段とを備える。
本発明のデータ送信方法は、外部装置からのデータ要求を受信するステップと、上記データ要求に含まれる位置情報と非接触ＩＣカードの種別情報を用いて、送信する提供データを選定するステップと、選定した提供データを上記外部装置に送信するステップとを備える。
【００１２】
即ち以上の本発明では、ＩＣカード収納装置は、非接触ＩＣカードが収納された際に、その非接触ＩＣカードと通信を行って、非接触ＩＣカードから情報を読み出すことができる。これによって収納している非接触ＩＣカードの種別や、使用履歴の情報を得ることができる。
非接触ＩＣカードの種別を判別した際には、ＩＣカード収納装置は、その種別に応じた画像（種別対応画像）を表示させることで、中に収納している非接触ＩＣカードの種別を明示できることになる。
また使用履歴を読み出すことで、その使用履歴を表示することができるが、このときに、使用した位置情報（場所や店舗の名称）などを加えて表示したり、地図画像上で使用場所を明示することができる。
また現在位置や非接触ＩＣカードの種別に応じてサーバ装置から提供データを受けるような処理も可能となる。
【発明の効果】
【００１３】
本発明によれば、ＩＣカード収納装置によって１又は複数の非接触ＩＣカードの使用性、利便性、有用性を向上させることができる。
まずＩＣカード収納装置自体で言えば、収納している非接触ＩＣカードの種別を判別して種別対応画像を表示させることで、ユーザは、収納している非接触ＩＣカードの種別を即座に知ることができ、利用時などにわざわざ確認する必要はない。
また非接触ＩＣカードの使用履歴を位置情報と共に表示することで、ユーザが使用履歴を確認したい場合に好適である。
また、現在位置や非接触ＩＣカードの種別に応じてサーバ装置から提供データを受けることで、例えばユーザにとっては、所有する（ＩＣカード収納装置に収納した）非接触ＩＣカードを利用できる店舗の広告やクーポンのデータなど、そのユーザにとって有用な提供データを受け取ることができる。
【発明を実施するための最良の形態】
【００１４】
以下、本発明のＩＣカード収納装置、表示方法、データ提供システム、サーバ装置、データ提供方法の実施の形態を説明する。ここではＩＣカード収納装置の例として携帯型のカードリーダを挙げる。
説明は次の順序で行う。
［１．携帯カードリーダの外観例、使用例］
［２．携帯カードリーダ、非接触ＩＣカード、及びサーバ装置の構成］
［３．非接触ＩＣカードの種別判別及び種別対応画像表示動作］
［４．位置履歴記憶処理］
［５．使用履歴表示動作］
［６．提供データ表示動作］
［７．実施の形態の効果及び変形例］
【００１５】
［１．携帯カードリーダの外観例、使用例］
実施の形態の携帯カードリーダ１は、内部に非接触ＩＣカード９０を収納できる機器とされ、その形状、外観としては各種の形態が想定されるが、図１に模式的な一例を示す。
【００１６】
携帯カードリーダ１は、携帯に適した小型軽量な装置とされ、図示するように、正面に表示パネル２ａが形成されている。表示パネル２ａは、例えば液晶ディスプレイパネルや有機ＥＬ（Electroluminescence）表示パネルなどにより形成される。
【００１７】
また、携帯カードリーダ１の筐体内には、１枚又は複数枚の非接触ＩＣカード９０を収納できる収納部３が形成され、ユーザは、自分が所有する非接触ＩＣカード９０を任意に出し入れできるようにされている。収納部３は、１枚の非接触ＩＣカード９０を収納できるように形成されてもよいし、複数枚の非接触ＩＣカード９０を収納できるように形成されてもよい。
非接触ＩＣカード９０としては、例えば電子マネー用途、交通機関用途、個人認証用途などの各種用途、或いはこれらの各種用途を組み合わせて使用できるものが存在し、また、発行者によって多用な非接触ＩＣカード９０が存在する。例えば電子マネー用途の非接触ＩＣカード９０としても、提供する会社・団体が異なる多種の非接触ＩＣカード９０が存在する。このため、一般ユーザで複数種類の非接触ＩＣカード９０を所有することは多い。複数枚の非接触ＩＣカード９０を所有するユーザは、それらをまとめて携帯カードリーダ１に収納するようにしてもよい。
【００１８】
また携帯カードリーダ１には、例えば操作キー４ａなどとして、ユーザの操作に供される操作子が設けられる。
なお操作キー４ａに加えて、或いは操作キー４ａを設けずに、表示部２ａにタッチパネル機構を設け、画面表示と組み合わせたタッチ操作により各種操作が行われるようにしてもよい。またダイヤル操作子、タッチパッド操作子などを設けてもよい。
【００１９】
このような携帯カードリーダ１は、非接触ＩＣカード９０が収納された状態で、図２に示すように使用される。
図２（ａ）は、例えば店舗などに配備されるリーダ／ライタ装置１００を示している。携帯カードリーダ１のユーザは、その収納部３に非接触ＩＣカード９０を収納した状態で持ち歩くが、例えば店舗で商品を購入する際には、図２（ｂ）のように、携帯カードリーダ１をそのままリーダ／ライタ装置１００に近接もしくは押し当てる。このとき図２（ｃ）のように、リーダ／ライタ装置１００と非接触ＩＣカード９０の通信が行われ、商品購入に対する精算処理が行われることになる。
つまり、携帯カードリーダ１の内部に収納された非接触ＩＣカード９０が、直接リーダ／ライタ装置１００と通信を行うものであって、携帯カードリーダ１は、この場合は特に通信を行わず、単にカード収納具として機能しているだけである。
即ち、非接触ＩＣカード９０については、通常、その非接触ＩＣカード９０自体を直接、リーダ／ライタ装置１００に押し当てて使用するが、携帯カードリーダ１に収納したままでも、同様に用いることができる。
【００２０】
後述するが、携帯カードリーダ１は、収納している非接触ＩＣカード９０の種別や、逐次検出する位置情報などに基づいて、ユーザに対して有用な情報提示を行う機器として機能する。
また図２（ｄ）に示すように、携帯カードリーダ１にはネットワーク６０を介してサーバ装置７０と通信を行う機能が設けられ、サーバ装置７０から提供された情報を表示パネル２ａにおいて表示を行うこともできる。
ネットワーク６０としては、インターネット、携帯電話通信網、ＰＨＳ通信網、アドホックネットワーク、ＬＡＮなど、各種考えられる。
【００２１】
［２．携帯カードリーダ、非接触ＩＣカード、及びサーバ装置の構成］
携帯カードリーダ１の構成例を図２で説明する。なお、図２には、携帯カードリーダ１の収納部３に収納された非接触ＩＣカード９０の構成も示している。
【００２２】
システムコントローラ１０は、例えばＣＰＵ（Central Processing Unit）、ＲＯＭ（Read Only Memory）、ＲＡＭ（Random Access Memory）、不揮発性メモリ部、インターフェース部を備えたマイクロコンピュータにより構成され、携帯カードリーダ１の全体を制御する制御部とされる。このシステムコントローラ１０は内部のＲＯＭ等に保持したプログラムに基づいて、各種演算処理や各部と制御信号等のやりとりを行い、各部に所要の動作を実行させる。また、例えば不揮発性メモリ部には携帯カードリーダ１の個々に付与された装置ＩＤなどが記憶される。
【００２３】
表示部２は、上述した液晶パネル等による表示パネル部２ａと、表示パネル部２ａを表示駆動する表示駆動部が設けられる。
表示駆動部は、システムコントローラ１０から供給される画像データを、例えば液晶ディスプレイとされる表示パネル部２ａにおいて表示させるための画素駆動回路で構成されている。画素駆動回路は表示パネル部２ａにおいてマトリクス状に配置されている各画素について、それぞれ所定の水平／垂直駆動タイミングで映像信号に基づく駆動信号を印加し、表示を実行させる。
【００２４】
ネットワーク通信部１６は、外部機器との間でのデータの送受信を行う。このネットワーク通信部１６は、無線ＬＡＮ、ブルートゥースなどの方式で、例えばネットワークアクセスポイントに対する近距離無線通信を介して、図２（ｄ）に示したようなネットワーク通信を行う構成としても良いし、対応する通信機能を備えた外部機器との間で直接無線通信を行うものでもよい。
通信を行う外部機器としては、後述するサーバ装置７０が想定される。
【００２５】
位置検出部１２は例えばＧＰＳ受信部とされる。ＧＰＳ受信部は、ＧＰＳ（Global Positioning System）の衛星からの電波を受信し、現在位置としての緯度・経度の情報をシステムコントローラ１０に出力する。
なお、位置検出部１２としては、ＷｉＦｉ（Wireless Fidelity）や携帯電話会社が提供する位置情報サービスを利用するものとしてもよいし、それらやＧＰＳを組み合わせて利用しても良い。
日時計数部１３は、常時、年月日時分秒を計数しており、現在の日時情報（年月日時分秒）をシステムコントローラ１０に提供する。
【００２６】
操作部４は、例えば図１に示した操作キー４ａや、或いはダイヤル等の操作子を有するようにし、キー操作等としてのユーザの操作を検知する構成とされる。
また、操作子としてタッチパッドやタッチパネルを設けても良い。例えば表示部２においてタッチパネルを配し、表示画面上にユーザがタッチすることで操作入力が行われるようにする。
また、画面上でカーソル等のポインタを移動させる操作子として、上記タッチパネルや十字キー、ジョグダイヤル等を備えるようにしてもよい。
或いは、加速度センサ、角速度センサ、振動センサ、圧力センサ等を内蔵し、ユーザが携帯カードリーダ１自体を上下左右に振るなどの行為を操作として認識し、例えば画面上のカーソル等が移動するような操作を実行可能としても良い。またユーザが携帯カードリーダ１の筐体をコツコツと軽く叩くと動作や、圧力センサ部分に指等を押し付けるような動作を、所定の操作として認識するようにしてもよい。
操作部４による操作情報はシステムコントローラ１０に供給され、システムコントローラ１０は操作情報に応じて所要の制御処理を実行する。
【００２７】
記憶部１１は各種データの保存に用いられる。
この記憶部１１は、ＲＡＭ或いはフラッシュメモリなどの固体メモリにより構成されても良いし、例えばＨＤＤ（Hard Disk Drive）により構成されてもよい。
また内蔵の記録媒体ではなく、可搬性の記録媒体、例えば固体メモリを内蔵したメモリカード、光ディスク、光磁気ディスク、ホログラムメモリなどの記録媒体に対応する記録再生ドライブなどとされても良い。
もちろん、固体メモリやＨＤＤ等の内蔵タイプのメモリと、可搬性記録媒体に対する記録再生ドライブの両方が搭載されてもよい。
この記憶部１１は、システムコントローラ１０の制御に基づいて、各種データを記録し、保存する。またシステムコントローラ１０の制御に基づいて、記録したデータを読み出し、システムコントローラ１０に供給する。
【００２８】
記憶部１１には、例えば収納部３に収納された非接触ＩＣカード９０の種別情報が記憶される。なお種別情報は、システムコントローラ１０の内部メモリに記憶されてもよい。
また記憶部１１には、地図描画データや、各位置情報に対応する地名、名称などが登録された地図データベースが記憶される。なお、地図データベースについては記憶せず、必要時にネットワーク通信部１６によるサーバ装置７０等との通信により、サーバ装置７０等における地図データベースから処理に必要な情報を受信して一時的に記憶するようにしてもよい。
また記憶部１１には、位置履歴データが記憶される。位置履歴データとは、位置検出部１２で検出した位置情報（例えば緯度・経度）と、その際の日時情報を対応づけたデータを蓄積したものである。図７で後述するが、システムコントローラ１０は、常時位置履歴データの追加記憶処理を行う。
【００２９】
また、記憶部１１はネットワーク通信部１６によるサーバ装置７０との通信データのバッファリングに用いられてもよい。
また、記憶部１１は、後述するＩＣカード通信部１５が非接触ＩＣカード９０と通信を行って読み出したデータのバッファリングに用いられてもよい。
【００３０】
また記憶部１１には、各種の非接触ＩＣカード９０に対応する画像データが記憶される。例えば非接触ＩＣカード９０のカード表面に描かれた図柄と同様の画像データを、それぞれの種別の非接触ＩＣカード９０についての対応画像データとして記憶している。もちろんカード表面の図柄と同様の画像データに限られないが、対応画像データは、ユーザがカード種別を認識できる画像であるとすることが好適である。なお対応画像データは、システムコントローラ１０の内部メモリに記憶されてもよい。
対応画像データとしては、当該携帯カードリーダ１が対応可能な非接触ＩＣカード９０の種別範囲に応じて、それらの非接触ＩＣカード９０に対応した画像を、予め記憶部１１等に記憶されていれば良い。但し、対応画像データについては記憶部１１又はシステムコントローラ１０の内部メモリに予め記憶しておかず、必要時に、例えばネットワーク通信部１６によるサーバ装置７０等との通信により、サーバ装置７０等から受信することで取得して記憶するようにしてもよい。
【００３１】
ＩＣカード通信部１５は、収納部３に収納された非接触ＩＣカード９０との間で通信を行い、非接触ＩＣカード９０から情報を読み出すことができる。
一般に、非接触ＩＣカード９０の通信方式としては、ＴｙｐｅＡ方式、ＴｙｐｅＢ方式、ＮＦＣ（Near Field Communication）方式が知られている。
ＴｙｐｅＡ方式は、通信速度は１０６ｋｂｐｓ、変調方式はＡＳＫ  １００％、符号化方式はミラー及びマンチェスター符号化方式を採用している。
ＴｙｐｅＢ方式は、通信速度は１０６ｋｂｐｓ、変調方式はＡＳＫ  １０％、符号化方式はＮＲＺ方式を採用している。
ＮＦＣ方式は、通信速度は２１２ｋｂｐｓ、変調方式はＡＳＫ  １０％、符号化方式はマンチェスター符号化方式を採用している。
ＩＣカード通信部１５としては、所定の通信方式に対応する通信処理回路系（エンコーダ／デコーダ）と、アンテナ部を備えればよいが、通信処理回路系としては例えば上記３つの通信方式のそれぞれに対応して３つの通信処理回路系を備えるようにしてもよいし、１又は２つの通信処理回路系を備えるようにしてもよい。
３つの通信処理回路系を備えるようにすれば、普及しているほぼ全ての非接触ＩＣカード９０に対応できる。また、例えばＮＦＣ方式など、１つの通信処理回路系のみを備えるようにした場合、その通信方式を採用する複数種類の非接触ＩＣカード９０に対応できることになる。
【００３２】
収納部３には、カード挿入検知部１４が設けられ、非接触ＩＣカード９０が挿入されたことを検知してシステムコントローラ１０に通知する。カード挿入検知部１４は、機械的なスイッチ機構や、フォトカプラ等を利用した光学的な検出機構などで形成すればよい。
なお、収納部３が、非接触ＩＣカード９０を複数枚収納可能とされる場合は、カード挿入検知部１４は、それぞれの非接触ＩＣカード９０を挿入／脱却を検知できるような構成とする。
【００３３】
収納部３に収納されることになる非接触ＩＣカード９０は、図示するように、制御部９１，記憶部９２，非接触通信部９３を有するＩＣチップと、図示しないアンテナコイルを有している。
制御部９１は例えばＣＰＵで構成され、記憶部９２に対する読出及び書込、非接触通信部９３による通信動作の制御を行う。
記憶部９２は、ＲＯＭ、ＲＡＭ、ＥＥＰＲＯＭ（Electrically Erasable and Programmable Read Only Memory）等を有し、各種情報を記憶する。
非接触通信部９３は、外部のＩＣカード対応のリーダ／ライタ装置１００や、携帯カードリーダ１のＩＣカード通信部１５との間で非接触無線通信を行う。
この非接触ＩＣカード９０は、既に公知のとおり、リーダ／ライタ装置１００に近づけられることで電磁波によるリーダ／ライタ装置との通信を行う。非接触ＩＣカード９０側では、リーダ／ライタ装置側のコイル通電により発生する電磁界を受けて、アンテナコイルで誘起される電圧により動作電力を発生させ、リーダ／ライタ装置との間で通信を行う。ＩＣカード通信部１５との通信も同様に行われる。
【００３４】
次に、図４でサーバ装置７０の構成を説明する。
図２（ｄ）で述べたようにサーバ装置７０は、例えばネットワーク６０を介した通信により、携帯カードリーダ１に対して提供データを送信できる装置である。提供データとは、例えば各種店舗の商品広告や宣伝、購入時に使用できるクーポンなどとしての画像データが考えられる。
サーバ装置７０は、サーバ制御部７２、ネットワークストレージ部７１、通信部７３、情報管理部７４、地図データベース７５、計時部７６、画像データベース７７、契約者情報格納部７８を備える。
【００３５】
ネットワークストレージ部７１は、例えばＨＤＤ等により実現され、例えば携帯カードリーダ１や、他のネットワーク端末機器との間での通信における送受信データのバッファリングや保存に用いられたり、サーバ制御部７２の拡張的なワーク領域、或いは各種のデータ保存に用いられる。
通信部７３は、携帯カードリーダ１のネットワーク通信部１６や他のネットワーク端末機器の通信部との間で、ネットワーク６０を介したデータ通信を行う。
サーバ制御部７２は、サーバ装置７０としての必要な動作制御を行う。特には、携帯カードリーダ１に対する提供データの送信のための制御動作を行う。
【００３６】
情報管理部７４、地図データベース７５、計時部７６、画像データベース７７、契約者情報格納部７８は、携帯カードリーダ１に対して送信する提供データを選定するため動作を行う部位となる。
地図データベース７５は地図情報を格納している。
計時部７６は現在日時（年月日時分秒）を計数している。
画像データベース７６には、例えば広告画像データやクーポン画像データなどとしての各種の提供データが記憶されている。
契約者情報格納部７８は、サーバ装置７０の管理者と契約した契約者の情報が登録されている。契約者とは、例えば広告やクーポンを提供する業者などである。そして契約者情報としては、例えば契約した業者の店舗の位置情報（例えば広告商品を扱う店舗の位置やクーポンを使用できる店舗の位置など）や、その店舗で使用できる非接触ＩＣカード９０の種別が登録される。もちろん、各契約者の名称や識別情報、契約期限、その契約者の提供する提供データの指定情報なども登録される。
また、各契約者が宣伝やクーポンを提供したい対象としての一般ユーザの属性情報を登録するようにしてもよい。例えばユーザの年齢、性別、趣味、嗜好などである。
【００３７】
情報管理部７４は、契約者情報としての店舗の位置や使用できる非接触ＩＣカード９０の種別、現在の日時、携帯カードリーダ１の現在位置などに応じて、携帯カードリーダ１に送信する提供データを、画像データベース７７から検索する処理を行う。
サーバ制御部７２は、情報管理部７４が画像データベース７７から取り出した提供データを、通信部７３から携帯カードリーダ１に送信させる。
この動作のための携帯カードリーダ１とサーバ装置７０との間の通信動作については後述する。
【００３８】
以上、携帯カードリーダ１やサーバ装置７０の構成を示したが、これらは一例にすぎない。携帯カードリーダ１やサーバ装置７０については、実際に実施される動作例や機能に応じて各種の構成要素の追加や削除は当然考えられる。
【００３９】
［３．非接触ＩＣカードの種別判別及び種別対応画像表示動作］
図５により、収納部３に非接触ＩＣカード９０が挿入された際における、携帯カードリーダ１のシステムコントローラ１０の処理を説明する。
ユーザが非接触ＩＣカード９０を携帯カードリーダ１の収納部３に挿入すると、カード挿入検知部１４からカード挿入検知の情報がシステムコントローラ１０に伝えられる。
【００４０】
システムコントローラ１０は、非接触ＩＣカード９０の挿入を検知したら、処理を図５のステップＦ１０１からＦ１０２に進め、当該挿入された非接触ＩＣカード９０に対する通信処理を行う。即ち、ＩＣカード通信部１５による通信動作を実行させ、非接触ＩＣカード９０からのデータ読出を実行させる。特にこの場合、非接触ＩＣカード９０の種別を識別するために必要な情報の読出を実行させる。例えば非接触ＩＣカード９０自体の種別識別情報を読み出す。
【００４１】
なおシステムコントローラ１０は、ユーザがどの通信方式を採用した非接触ＩＣカード９０を装填するかはわからない。そこで、例えばＩＣカード通信部１５がＴｙｐｅＡ方式、ＴｙｐｅＢ方式、ＮＦＣ方式のそれぞれのエンコーダ／デコーダを備えている場合は、各通信方式による通信を順次試みる。そして或る通信方式で通信が成立することで、挿入された非接触ＩＣカード９０の通信方式が確定される。その場合、その通信方式の実行によりに非接触ＩＣカード９０から種別判別に必要な情報を読み出せばよい。
もちろん、ＩＣカード通信部１５が、例えばＮＦＣ方式など、１つの通信方式にしか対応していない場合は、挿入された非接触ＩＣカード９０に対して、その通信方式で通信を試みることになる。
【００４２】
装填された非接触ＩＣカード９０に対してＩＣカード通信部１５により通信を実行させた結果、通信が不能であったとしたら、システムコントローラ１０は処理をステップＦ１０３からＦ１０７に進め、エラー処理とする。例えば当該携帯カードリーダ１が対応していない通信方式を採用する非接触ＩＣカード９０か、或いは非接触ＩＣカード９０ではないカードをユーザが挿入した場合、通信不能としてエラー処理されることになる。
エラー処理としては、システムコントローラ１０は例えば表示部２に、対応可能な非接触ＩＣカード９０ではないことを提示するメッセージ表示を行ってユーザに注意を促すことが考えられる。またシステムコントローラ１０は、当該挿入されたカードに対しては、挿入されていないものとして扱う。つまりその後、何ら処理を行わないようにする。
【００４３】
挿入された非接触ＩＣカード９０との間で通信が確立された場合は、ステップＦ１０３からＦ１０４に進み、カード種別の判定を行う。即ちシステムコントローラ１０は、ＩＣカード通信部１５による通信によって挿入された非接触ＩＣカード９０から読み出した情報に基づいて、挿入された非接触ＩＣカード９０の種別を判定する。
例えば現在「Ｅｄｙ」「Ｓｕｉｃａ」・・・などの名称の非接触ＩＣカード９０が一般に利用されているが、これらの種別を判定する。そしてステップＦ１０５では、判定した種別について、そのカード種別の識別コードや名称情報などを、現在収納部３に収納されている非接触ＩＣカード９０の種別情報として、記憶部１１又はシステムコントローラ１０の内部メモリに記憶する。
このようにして、システムコントローラ１０は、現在収納中の非接触ＩＣカード９０の種別を把握できるようにする。
また、種別情報を記憶したら、ステップＦ１０６で、そのカード種別に応じたイメージ画像（種別対応画像データ）を例えば記憶部１１から読み出して取得し、これをメイン画像表示データとして追加し、表示させる。なお、カード種別に応じた種別対応画像データは、例えばネットワーク通信部１６により外部のサーバ装置７０と通信を行って。サーバ装置７０等から取得するようにしてもよい。
【００４４】
システムコントローラ１０は、この図５の処理を、カード挿入検知のたびに実行する。例えば収納部３に複数枚の非接触ＩＣカード９０が収納可能である場合は、それぞれのカードが挿入される毎に実行する。
これによってシステムコントローラ１０は、常時、現在収納されている１又は複数の非接触ＩＣカード９０の種別を把握できることになる。
【００４５】
メイン画像を表示した例を図６に示す。ここでいうメイン画像とは、ユーザが特に操作を行わない通常時においてシステムコントローラ１０が表示部２に表示させる画像である。
図６（ａ）は、１枚の非接触ＩＣカード９０が収納部３に収納されている場合である。例えば図１に示した「ＡＢＣカード」が収納されているとする。システムコントローラ１０は、カード種別として「ＡＢＣカード」であることを認識したら、上記ステップＦ１０６で、この「ＡＢＣカード」に対する種別対応画像データをメイン画像に加える。種別対応画像データは、例えばＡＢＣカードのカード表面に印刷された画像と略同一の画像であるとすると、図６（ａ）のように表示パネル２ａには、ＡＢＣカードのカード表面と略同一の画像３０が表示されることになる。
また図６（ｂ）は、２枚の非接触ＩＣカード９０が収納されている場合であり、図１に示した「ＡＢＣカード」と「ＤＥＦカード」が収納されているとする。この場合、それぞれのカードの種別対応画像データがメイン画像に追加されることにより、図のように各カードのカード表面と略同一の画像３０が、表示されることになる。
図６（ｃ）は、４枚の非接触ＩＣカード９０が収納されている場合であり、この場合も、それぞれのカードの種別対応画像データがメイン画像に追加されることにより、図のように各カードのカード表面と略同一の画像３０が、表示されることになる。
【００４６】
このように、収納している非接触ＩＣカード９０の種別に応じた画像３０を表示パネル２ａに表示させるようにすれば、携帯カードリーダ１のユーザは、わざわざ非接触ＩＣカード９０を収納部３から取り出して確認しなくても、収納している非接触ＩＣカード９０の種別を認識できる。
このため例えば図２（ｂ）のように非接触ＩＣカード９０を携帯カードリーダ１に入れたまま使用する場合などに便利となる。
なお、種別対応画像データは、必ずしもカード表面の画像と略同一でなくてもよい。例えばカード名称の文字画像、カード種別毎のロゴやイメージキャラクタの画像などであっても、ユーザはメイン表示により、収納しているカード種別を把握できる。
さらには、必ずしも一般的にはカード種別を明示しないと思われるような任意の画像であってもよい。ユーザが、各カード種別に対して任意に画像を選択したり作成した画像データを、種別対応画像データとしてもよい。
またメイン画像には、メニュー項目を合わせて表示させてもよい。例えば後述する使用履歴表示、地図表示などの操作メニューなどを表示させることが考えられる。
【００４７】
なお、非接触ＩＣカード９０を１枚しか収納できないように収納部３を構成する場合においては、通常時は表示パネル２ａの透過率を制御して透明又は半透明とし、収納した非接触ＩＣカード９０のカード表面を視認できるようにしてもよい。もちろん１枚のみ収納可能とする場合でも、図６（ａ）のように種別対応画像データを含むメイン画像表示を行ってもよい。
【００４８】
［４．位置履歴記憶処理］
本例の携帯カードリーダ１は、常時、位置履歴記憶処理を行う。図７にシステムコントローラ１０が実行する位置履歴記憶処理を示す。
システムコントローラ１０は、例えば数秒毎、数分毎などの所定タイミングを、位置検出タイミングとして、定期的に図７の処理を行う。
【００４９】
位置検出タイミングとなったら、システムコントローラ１０はステップＦ２０１からＦ２０２に進み、現在の位置情報の取込を行う。即ち位置検出部１２で検出される位置情報（緯度・経度）を取り込む。
またステップＦ２０３で、現在の日時情報（年月日時分秒）を日時計数部１３から取り込む。
そしてステップＦ２０４では、現在の位置情報と日時情報を対応させて、位置履歴データとして記憶する。例えば記憶部１１には、位置履歴データを格納する領域を用意しており、その位置履歴データとして、今回の位置情報と日時情報を追加する。
【００５０】
例えば定期的にこの図７の処理が行われることで、位置履歴データとして、携帯カードリーダ１を所持するユーザの行動に応じた位置情報が、日時情報と共に記憶されていく。このような位置履歴データが保存されることで、システムコントローラ１０は、過去の特定の日時における携帯カードリーダ１の位置（携帯カードリーダ１を所持したユーザが居た位置）を判別することが可能となる。
【００５１】
なお、この図７の位置履歴データの追加登録処理は定期的に行うほか、例えば位置変化があった際に行うようにしてもよい。例えばシステムコントローラ１０は、上記位置検出部１２で検出される位置情報を監視しており、その位置情報としての変化があった際に、変化した位置情報と、そのときの日時情報を位置履歴データとして追加するような処理を行うようにしてもよい。
【００５２】
［５．使用履歴表示動作］
携帯カードリーダ１は、収納している非接触ＩＣカード９０についての使用履歴を表示させることができる。例えばユーザが、使用履歴表示を求める操作を行うことに応じて使用履歴表示を行う。
この場合のユーザ操作としては、操作キー３ａ等の操作子を用いるようにしてもよいし、表示パネル２ａにタッチパネル機能が設けられていれば、タッチ操作で使用履歴表示を指示できるようにしてもよい。
また複数枚の非接触ＩＣカード９０が収納されている場合は、使用履歴表示の対象とするカードを選択するためには、例えば図６のようなメイン画像に対して、履歴表示させたい非接触ＩＣカード９０の画像にタッチするという操作手法も考えられる。
【００５３】
ユーザ操作によって使用履歴表示が求められたら、システムコントローラ１０は図８の処理をステップＦ３０１からＦ３０２に進める。システムコントローラ１０はステップＦ３０２では、ＩＣカード通信部１５により、非接触ＩＣカード９０に対する通信を実行させ、非接触ＩＣカード９０から使用履歴情報を読み出させる。なお、複数枚の非接触ＩＣカード９０が収納されている場合、ユーザ操作により、使用履歴表示を行う非接触ＩＣカード９０が選択されるようにするが、その場合、システムコントローラ１０は当然ながら、ＩＣカード通信部１５には、選択された非接触ＩＣカード９０に対しての通信を実行させる。
【００５４】
非接触ＩＣカード９０から使用履歴情報が読み出されたら、ステップＦ３０３に進み、各使用履歴の項目に対して、位置情報を対応づける処理を行う。
通常、電子マネー用途としての非接触ＩＣカード９０に格納されている使用履歴情報には、取引日時、チャージ金額、支払金額、残高などが、その使用毎の項目として記憶されているが、使用場所については記憶されていない。
そこで、ステップＦ３０３では、使用履歴の各項目毎に、使用場所としての位置情報を追加する。
図７で述べたようにシステムコントローラ１０は、例えば定期的に位置履歴データの追加保存を行っており、これにより記憶部１１には、現在に至るまでの位置履歴データが蓄積されている。
そこで、非接触ＩＣカード９０から読み出した使用履歴情報における取引日時と、位置履歴データに含まれる日時情報を照合することで、使用履歴情報における取引の各項目についての取引場所としての位置情報を判別することができる。
例えばステップＦ３０３では、このように使用履歴情報と位置履歴データを照合して、使用履歴としての各項目に対応する位置情報（緯度・経度）を判別する。
【００５５】
次にシステムコントローラ１０はステップＦ３０４で、使用履歴としての各項目に対応づけた位置情報（緯度・経度）から、その位置の住所、名称等を判別する。
即ち位置情報を用いて、記憶部１１に格納した地図データベースを検索し、その位置情報としての緯度・経度に対応する住所や名称、例えば店舗の名称などを取得する。
システムコントローラ１０は、このような処理を行ったら、ステップＦ３０５で、表示部２において使用履歴情報の表示を実行させる。表示例を図９（ａ）に示す。
【００５６】
この図９（ａ）のように、使用履歴画像３１として、非接触ＩＣカード９０の使用履歴の各項目を一覧表示させる。また各項目には、使用した場所として、店舗名称などの場所を示す情報を加える。
このような使用履歴表示により、ユーザは、これまで非接触ＩＣカード９０を使用した取引の日時、金額等とともに、その使用場所についても確認することができる。
なお、画面上には、例えば送りボタン３２などを表示させ、これをユーザが選択することで、使用履歴の項目のスクロール表示或いはページ送り表示を行うことができるようにする。もちろん、操作キー４ａを用いてスクロール表示等を実行させるようにしてもよい。
【００５７】
本例では、さらに使用履歴に関して地図表示を行うことができるようにする。
例えば図９（ａ）のような使用履歴の項目を表示している際に、ユーザはタッチ操作やカーソル操作／エンター操作などの所要の操作により、使用履歴における或る項目を選択して地図表示を求めることができる。
【００５８】
ステップＦ３０５で使用履歴表示を行わせた後は、システムコントローラ１０はステップＦ３０６で地図表示操作を監視し、またステップＦ３０７で使用履歴表示の終了操作を監視する。
ユーザが地図表示を求める操作を行ったことを検知した場合、システムコントローラ１０は処理をステップＦ３０６からＦ３０８に進めることになる。ステップＦ３０８では、使用履歴の各項目の中でユーザに指定された項目に対応づけられている位置情報を用いて、表示のための地図データ（地図描画データ）を、記憶部１１内の地図データベースから読み出す。例えば使用場所としての位置情報（緯度・経度）を略中心とした範囲の地図描画行う地図データを読み出す。
そしてステップＦ３０９で地図画像及び使用場所としてのポインタの表示を実行させる。図９（ｂ）に表示例を示す。
例えば図のように地図画像３３を表示させると共に、地図画像上でポインタ３５により、使用場所を示すようにする。例えばユーザが、図９（ａ）の使用履歴の内で項目＜３＞を選択して地図表示を求めた場合、図９（ｂ）のように、＜３＞の項目に対応するポインタ３５が、地図の略中央となるように表示させることが好適である。
このように地図表示上で使用場所を表示することで、ユーザは非接触ＩＣカード９０の使用場所をより正確に確認できる。
【００５９】
なお、この図９（ｂ）の例では、＜６＞の項目に対応するポインタ３５も地図上に表示されているが、例えば選択された＜３＞の項目についての位置情報に近い場所（表示中の地図画像３３内に含まれる場所）として、他の履歴項目が存在した場合は、このように選択されていない項目についてもポインタ表示をおこなうようにしてもよい。
また地図表示を行う画面上には、例えば送りボタン３４などを表示させ、これをユーザが選択することで、地図画像をスクロール表示或いは隣接地区への地図移動表示を行うことができるようにする。もちろん、操作キー４ａを用いてスクロール表示等を実行させるようにしてもよい。また地図の縮尺の変更も操作できるようにするとよい。
さらにスクロールや縮尺変更等による地図の表示範囲の変更に応じて、選択されていない他の項目についての位置をポインタ３５で表示できる場合は、その位置にポインタ３５を表示させることが好適である。
また、ユーザが地図表示上でポインタ３５を選択する操作を行った場合に、その位置（店舗等）における詳細情報を例えば地図データベースから取り出したり、或いは地図データベース等に位置情報に対応したＵＲＬ（Uniform Resource Locator）等が付加されていた場合、ネットワーク通信部１６の通信により、その店舗を紹介するウエブサイトにアクセスしてブラウジングを実行できるようにすることも考えられる。
【００６０】
ユーザが地図表示を終了させる操作を行った場合は、システムコントローラ１０は処理をステップＦ３１０からＦ３０５に戻し、表示部２の表示内容を、図９（ａ）のような使用履歴情報の表示に戻す。
また、ステップＦ３０５での使用履歴表示中に、ユーザが表示終了操作を行った場合は、システムコントローラ１０は処理をステップＦ３０７からＦ３１１に進め、使用履歴の表示終了処理を行う。例えば図９（ａ）の表示を終了させ、図５のようなメイン画面に戻す処理を行う。
【００６１】
以上の処理をシステムコントローラ１０が実行することにより、収納中の非接触ＩＣカード９０についての使用履歴が使用場所とともに表示され、ユーザはそを確認できる。また地図上で使用場所を確認することも可能となる。これによって、ユーザは非常に手軽に、非接触ＩＣカード９０の使用履歴を確認できる。
なお、使用履歴や地図表示の処理方式は多用に考えられる。例えばユーザが地名・地域等を指定することで地図表示が実行され、そのときに、その表示した地図範囲に使用場所が存在すれば、図９（ｂ）のようなポインタを表示させるような処理も考えられる。
またこの例では、携帯カードリーダ１の記憶部１１に地図データベースが格納されているものとして説明したが、サーバ装置７０側の地図データベース７５を利用する手法も考えられる。即ちシステムコントローラ１０は、履歴上で選択された項目の位置情報をネットワーク通信部１６からサーバ装置７０に送信させ、地図データを要求する。
サーバ装置７０側では、地図データの要求に応じて、位置情報の近辺の地図描画のためのデータを地図データベース７５から抽出し、携帯カードリーダ１に送信する。このようにすれば、携帯カードリーダ１側で地図データベースを備えなくても、図９（ｂ）のような表示が可能となる。
【００６２】
［６．提供データ表示動作］
携帯カードリーダ１では、収納されている非接触ＩＣカード９０の種別に応じて、ユーザにとって有用な情報（提供データ）をサーバ装置７０から取得し、ユーザに提示する動作を行う。この提供データの表示動作について説明する。
【００６３】
提供データ表示のための処理として、図１０に、携帯カードリーダ１のシステムコントローラ１０の処理と、サーバ装置７０の処理を示す。
携帯カードリーダ１のシステムコントローラ１０は、例えば定期的にステップＦ４０１以降の処理を実行する。なお、必ずしも定期的でなくてもよく、例えばユーザが提供データを求める操作を行った場合に実行したり、或いは現在の位置情報を常時監視して位置変化が認められた場合に実行するようにしてもよい。
【００６４】
システムコントローラ１０はステップＦ４０１で、現在の位置情報（緯度・経度）を位置検出部１２でから取り込む。
そしてステップＦ４０２では、システムコントローラ１０はネットワーク通信部１６からサーバ装置７０に対してデータ要求を送信させる。このデータ要求には、当該携帯カードリーダ１の個体の識別情報としての装置ＩＤと、ステップＦ４０１で取り込んだ現在の位置情報と、現在収納されている非接触ＩＣカード９０のカード種別情報を含むものとする。カード種別情報は、上述した図５で非接触ＩＣカード９０が装填されたときに判別した種別情報である。複数の非接触ＩＣカード９０を収納している場合は、それぞれの非接触ＩＣカード９０のカード種別情報を含むようにする。
このようにデータ要求を送信したら、システムコントローラ１０はステップＦ４０３，Ｆ４０４で、サーバ装置７０からの受信を待機することになる。
【００６５】
サーバ装置７０のサーバ制御部７２は、通信部７３が携帯カードリーダ１からのデータ要求を受信したことを確認したら、処理をステップＦ５０１からＦ５０２以降に進め、情報管理部７４に指示して、携帯カードリーダ１に対して送信する提供データの選定を実行させる。即ちサーバ制御部７２は、情報管理部７４に、携帯カードリーダ１からのデータ要求に含まれていた位置情報と非接触ＩＣカード９０の種別情報を通知し、ステップＦ５０２、Ｆ５０３の処理を実行させる。
情報管理部７４は、ステップＦ５０２で、携帯カードリーダ１からのデータ要求に含まれていた位置情報に基づいて、契約者情報格納部７８における契約者情報を参照する。そして携帯カードリーダ１からのデータ要求に含まれていた位置情報の近辺に店舗等が存在する契約者を抽出する。
次に情報管理部７４は、ステップＦ５０３で、携帯カードリーダ１からのデータ要求に含まれていたカード種別情報と契約者情報に基づいて、携帯カードリーダ１に送信する提供データの選定を行う。
例えば上記ステップＦ５０２で抽出した契約者について、その契約者情報におけるカード種別を確認する。即ち契約者の店舗等で使用できるカード種別である。そして携帯カードリーダ１から送信されたカード種別情報で示される種別の非接触ＩＣカード９０が支払等に使用できる契約者を抽出する。
これにより、現在の携帯カードリーダ１の場所の近辺で、その携帯カードリーダ１に収納された非接触ＩＣカード９０を使用できる契約者が抽出されるため、情報管理部７４は、その抽出された契約者が提供する宣伝やクーポンとしての画像データを、今回の提供データとして画像データベースから選定する。
【００６６】
サーバ制御部７２は、以上のような情報管理部７４の処理に応じて、送信制御を行う。まず、情報管理部７４から、提供データが存在しないという処理結果が通知された場合は、サーバ制御部７２はステップＦ５０４からＦ５０５に進み、提供データ無しの通知を通信部７３から携帯カードリーダ１に送信させる。
例えば現在の携帯カードリーダ１の位置の近辺に、契約者の店舗等が存在しなかった場合や、或いは近辺に契約者の店舗等が存在するが、それらは現在携帯カードリーダ１に収納されている非接触ＩＣカード９０を使用できない店舗であった場合など、提供データ無しということになり、携帯カードリーダ１には提供データ無しの通知が送信されることになる。
携帯カードリーダ１のシステムコントローラ１０は、サーバ装置７０から提供データ無しの通知を受信した場合は、ステップＦ４０３からＦ４０１に戻る。
【００６７】
一方、情報管理部７４が、或る提供データを選定し、画像データベース７７から提供データを読み出した場合は、サーバ制御部７２は、ステップＦ５０６に進み、その提供データを通信部７３から携帯カードリーダ１に送信させる。
携帯カードリーダ１のシステムコントローラ１０は、サーバ装置７０から提供データを受信した場合は、ステップＦ４０４からＦ４０５に進み、提供データの表示制御を行う。即ちシステムコントローラ１０は、ネットワーク通信部１６で受信した提供データに基づく表示を表示部２において実行させる。
図１１（ａ）（ｂ）に提供データに基づく表示例を示している。図１１（ａ）は提供データとして供給されたクーポン画像３６が表示されている例である。また図１１（ｂ）は提供データとして供給された商品広告画像３７が表示されている例である。
【００６８】
以上の動作が携帯カードリーダ１とサーバ装置７０で行われることで、現在ユーザの居る近辺の店舗等であって、所持する非接触ＩＣカード９０を利用できる店舗等の商品広告やクーポンが提供されるため、携帯カードリーダ１のユーザに対して、有効かつタイムリーな情報やサービスを提供することができる。
なお、提供データは画像データに限らず、文字データであってもよい。また提供デー短内容は商品広告やクーポンに限られない。例えば非接触ＩＣカード９０の利用者に対する案内や特別なサービスの情報、新たな利用方法のお知らせ、イベント情報など、多様に考えられる。
【００６９】
また、サーバ装置７０の情報管理部７４が提供データを選定する際には、計時部７６で計時している現在日時を参照して、現在の日時に応じた広告やクーポンの提供データを選定することも考えられる。例えば時限的なバーゲンや割引情報などの内容の提供データを、日時に応じて選定することが可能である。
またサーバ装置７０内で、携帯カードリーダ１のユーザの情報を登録管理して、提供データの選定に利用してもよい。例えば携帯カードリーダ１の装置ＩＤに対応させて、そのユーザの性別、年齢、趣味、嗜好などの情報を登録しておく。すると、情報管理部７４が提供データを選定する際には、装置ＩＤからユーザの性別、年齢、趣味、嗜好などを判定し、それらに応じた商品広告などの内容の提供データを選定できる。このようにすると、ユーザ個々の嗜好などに応じた情報を提供できることになる。
【００７０】
［７．実施の形態の効果及び変形例］
以上の実施の形態の携帯カードリーダ１によれば、ユーザは所有する非接触ＩＣカード９０の使用に関して使用性、利便性、有用性を向上させることができる。
まず携帯カードリーダ１に非接触ＩＣカード９０を収納させた場合、表示部２には収納した非接触ＩＣカード９０の種別対応画像が表示されるため、ユーザは、収納している非接触ＩＣカード９０の種別を即座に知ることができ、利用時などにわざわざ確認する必要はない。
また非接触ＩＣカード９０の使用履歴を位置情報（店舗の名称等）と共に表示することで、ユーザが使用履歴をより正確に確認できる。
また、携帯カードリーダ１に収納している非接触ＩＣカード９０の種別や、現在位置に応じて、サーバ装置７０から提供データを受け、それが携帯カードリーダ１において表示されるため、ユーザにとっては、所有する（ＩＣカード収納装置に収納した）非接触ＩＣカード９０を利用できる店舗の広告やクーポンのデータなど、そのユーザにとって有用な提供データをタイムリーに受け取ることができる。
これらのことから、非接触ＩＣカード９０を簡易かつ便利に利用できることになる。また複数枚の非接触ＩＣカード９０を持つユーザは、それらをまとめて携帯カードリーダ１に収納しておくことでも利便性は向上する。
【００７１】
本発明は、上記実施の形態に限られず、携帯カードリーダ１やサーバ装置７０の構成例や処理例として各種の変形例が考えられる。
例えばサーバ装置７０は提供データとして音声データや動画データを携帯カードリーダ１に送信するようにしてもよい。携帯カードリーダ１側でオーディオ出力系を備えるようにすれば、音声による提供データをユーザが享受できるようにもなる。
【図面の簡単な説明】
【００７２】
【図１】本発明の実施の形態の携帯カードリーダの外観例の説明図である。
【図２】実施の形態の携帯カードリーダの使用状態の説明図である。
【図３】実施の形態の携帯カードリーダ及び非接触ＩＣカードの構成のブロック図である。
【図４】実施の形態のサーバ装置のブロック図である。
【図５】実施の形態の非接触ＩＣカード挿入時の処理のフローチャートである。
【図６】実施の形態のメイン画像の説明図である。
【図７】実施の形態の位置履歴データの記憶処理のフローチャートである。
【図８】実施の形態の使用履歴表示処理のフローチャートである。
【図９】実施の形態の使用履歴表示例の説明図である。
【図１０】実施の形態の提供データの表示のため処理のフローチャートである。
【図１１】実施の形態の提供データ表示例の説明図である。
【符号の説明】
【００７３】
１  携帯カードリーダ、２  表示部、２ａ  表示パネル部、３  収納部、４  操作部、１０  システムコントローラ、１１  記憶部、１２  位置検出部、１３  日時計数部、１４  カード挿入検知部、１５  ＩＣカード通信部、１６  ネットワーク通信部、７０  サーバ装置、７２  サーバ制御部、７３  通信部、７４  情報管理部、７７  画像データべース、７８  契約者情報格納部、９０  非接触ＩＣカード
【図１】
2008299372.tif 000003
【図２】
2008299372.tif 000004
【図３】
2008299372.tif 000005
【図４】
2008299372.tif 000006
【図５】
2008299372.tif 000007
【図６】
2008299372.tif 000008
【図７】
2008299372.tif 000009
【図８】
2008299372.tif 000010
【図９】
2008299372.tif 000011
【図１０】
2008299372.tif 000012
【図１１】
2008299372.tif 000013